【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
移動通信システムにおける移動端末(ＭＳ)のアップリンク(ＵＬ)送信電力状態報告方法であって、
ＵＬ送信電力制御パラメータがアップデートされたか否かを示すインジケータと、
前記ＭＳによって測定されたダウンリング（ＤＬ）信号対干渉比（ＳＩＲ）と
を含むメッセージを基地局（ＢＳ）に送信するステップを具備することを特徴とする方法。
【請求項２】
前記メッセージは、ＵＬ送信電力状態報告ヘッダーを含むことを特徴とする請求項１に記載の方法。
【請求項３】
前記インジケータが前記ＵＬ送信電力制御パラメータにおける変更を示す場合、前記メッセージは、前記ＭＳが最後に受信した他のメッセージに含まれている値と同一の値をさらに含むことを特徴とする請求項１に記載の方法。
【請求項４】
前記他のメッセージは、アドバンストエアインターフェースシステム構成ディスクリプタ(ＡＡＩ_ＳＣＤ)メッセージを含み、前記値は構成変更カウントを含むことを特徴とする請求項３に記載の方法。
【請求項５】
前記メッセージは、フロー識別子(ＦＩＤ)フィールド、タイプフィールド、及び長さフィールドをさらに含み、
前記ＦＩＤフィールドは、前記メッセージが媒体接続制御(ＭＡＣ)シグナリングヘッダーであることを示す値に設定され、
前記タイプフィールドは、前記ＭＡＣシグナリングヘッダーのタイプがＵＬ送信電力状態報告ヘッダーであることを示す値に設定され、
前記長さフィールドは、前記ＵＬ送信電力状態報告ヘッダーの長さを示すことを特徴とする請求項１に記載の方法。
【請求項６】
前記ＵＬ送信電力制御パラメータは他のメッセージに含まれることを特徴とする請求項１に記載の方法。
【請求項７】
前記他のメッセージは、アドバンストエアインターフェースシステム構成ディスクリプタ(ＡＡＩ_ＳＣＤ)メッセージを含むことを特徴とする請求項６に記載の方法。
【請求項８】
前記メッセージは、前記ＭＳによって測定されたＤＬ経路損失と前記ＢＳによって測定されたＵＬ干渉及び雑音レベルとの和に関する情報を含むことを特徴とする請求項１に記載の方法。
【請求項９】
移動通信システムにおける基地局(ＢＳ）によってアップリンク（ＵＬ）送信電力状態に関する報告を受信する方法であって、  
ＵＬ送信電力制御方式のために使用されるパラメータを送信するステップと、
ＵＬ送信電力制御パラメータがアップデートされたか否かを示すインジケータと、
移動端末（ＭＳ）によって測定されたダウンリンク（ＤＬ）信号対干渉比（ＳＩＲ）と
を含むメッセージをＭＳから受信するステップを具備することを特徴とする方法。
【請求項１０】
前記メッセージは、ＵＬ送信電力状態報告ヘッダーを含むことを特徴とする請求項９に記載の方法。
【請求項１１】
前記インジケータが前記ＵＬ送信電力制御パラメータにおける変更を示す場合、前記メッセージは、前記ＭＳが最後に受信した他のメッセージに含まれている値と同一の値をさらに含むことを特徴とする請求項９に記載の方法。
【請求項１２】
前記他のメッセージは、アドバンストエアインターフェースシステム構成ディスクリプタ(ＡＡＩ_ＳＣＤ)メッセージを含み、前記値は構成変更カウントを含むことを特徴とする請求項１１に記載の方法。
【請求項１３】
前記メッセージはフロー識別子(ＦＩＤ)フィールド、タイプフィールド、及び長さフィールドをさらに含み、
前記ＦＩＤフィールドは、前記メッセージが媒体接続制御(ＭＡＣ)シグナリングヘッダーであることを示す値に設定され、
前記タイプフィールドは、前記ＭＡＣシグナリングヘッダーのタイプがＵＬ送信電力状態報告ヘッダーであることを示す値に設定され、
前記長さフィールドは、前記ＵＬ送信電力状態報告ヘッダーの長さを示すことを特徴とする請求項９に記載の方法。
【請求項１４】
前記ＵＬ送信電力制御パラメータは、他のメッセージに含まれることを特徴とする請求項９に記載の方法。
【請求項１５】
前記他のメッセージは、アドバンストエアインターフェースシステム構成ディスクリプタ(ＡＡＩ_ＳＣＤ)メッセージを含むことを特徴とする請求項１４に記載の方法。
【請求項１６】
前記メッセージは、前記ＭＳによって測定されたＤＬ経路損失と前記ＢＳによって測定されたＵＬ干渉及び雑音レベルとの和に関する情報を含むことを特徴とする請求項９に記載の方法。
【請求項１７】
移動通信システムにおける移動端末(ＭＳ）であって、
アップリンク（ＵＬ）送信電力制御パラメータがアップデートされたか否かを示すインジケータと、前記ＭＳによって測定されたダウンリンク（ＤＬ）信号対干渉比（ＳＩＲ）とを含むメッセージを基地局(ＢＳ)に送信する送信器を具備することを特徴とする移動端末。
【請求項１８】
前記メッセージは、ＵＬ送信電力状態報告ヘッダーを含むことを特徴とする請求項１７に記載の移動端末。
【請求項１９】
前記インジケータが前記ＵＬ送信電力制御パラメータにおける変更を示す場合、前記メッセージは、前記ＭＳが最後に受信した他のメッセージに含まれている値と同一の値をさらに含むことを特徴とする請求項１７に記載の移動端末。
【請求項２０】
前記他のメッセージは、アドバンストエアインターフェースシステム構成ディスクリプタ(ＡＡＩ_ＳＣＤ)メッセージを含み、前記値は構成変更カウントを含むことを特徴とする請求項１９に記載の移動端末。
【請求項２１】
前記メッセージはフロー識別子(ＦＩＤ)フィールド、タイプフィールド、及び長さフィールドをさらに含み、
前記ＦＩＤフィールドは、前記メッセージが媒体接続制御(ＭＡＣ)シグナリングヘッダーであることを示す値に設定され、
前記タイプフィールドは、前記ＭＡＣシグナリングヘッダーのタイプがＵＬ送信電力状態報告ヘッダーであることを示す値に設定され、
前記長さフィールドは、前記ＵＬ送信電力状態報告ヘッダーの長さを示すことを特徴とする請求項１７に記載の移動端末。
【請求項２２】
前記ＵＬ送信電力制御パラメータは、他のメッセージに含まれることを特徴とする請求項１７に記載の移動端末。
【請求項２３】
前記他のメッセージは、アドバンストエアインターフェースシステム構成ディスクリプタ(ＡＡＩ_ＳＣＤ)メッセージを含むことを特徴とする請求項２２に記載の移動端末。
【請求項２４】
前記メッセージは、前記ＭＳによって測定されたＤＬ経路損失と前記ＢＳによって測定されたＵＬ干渉及び雑音レベルとの和に関する情報を含むことを特徴とする請求項１７に記載の移動端末。
【請求項２５】
移動通信システムにおける基地局(ＢＳ）であって、
アップリンク（ＵＬ）送信電力制御方式のために使用されるパラメータを送信する送信器と、
移動端末（ＭＳ）からＵＬ送信電力制御パラメータがアップデートされたか否かを示すインジケータと、前記ＭＳによって測定されたダウンリンク（ＤＬ）信号対干渉比（ＳＩＲ）とを含むメッセージを受信する受信器を具備することを特徴とする基地局。
【請求項２６】
前記メッセージは、ＵＬ送信電力状態報告ヘッダーを含むことを特徴とする請求項２５に記載の基地局。
【請求項２７】
前記インジケータが前記ＵＬ送信電力制御パラメータにおける変更を示す場合、前記メッセージは、前記ＭＳが最後に受信した他のメッセージに含まれている値と同一の値をさらに含むことを特徴とする請求項２５に記載の基地局。
【請求項２８】
前記他のメッセージは、アドバンストエアインターフェースシステム構成ディスクリプタ(ＡＡＩ_ＳＣＤ)メッセージを含み、前記値は構成変更カウントを含むことを特徴とする請求項２７に記載の基地局。
【請求項２９】
前記メッセージはフロー識別子(ＦＩＤ)フィールド、タイプフィールド、及び長さフィールドをさらに含み、
前記ＦＩＤフィールドは、前記メッセージが媒体接続制御(ＭＡＣ)シグナリングヘッダーであることを示す値に設定され、
前記タイプフィールドは、前記ＭＡＣシグナリングヘッダーのタイプがＵＬ送信電力状態報告ヘッダーであることを示す値に設定され、
前記長さフィールドは、前記ＵＬ送信電力状態報告ヘッダーの長さを示すことを特徴とする請求項２５に記載の基地局。
【請求項３０】
前記ＵＬ送信電力制御パラメータは、他のメッセージに含まれることを特徴とする請求項２５に記載の基地局。
【請求項３１】
前記他のメッセージは、アドバンストエアインターフェースシステム構成ディスクリプタ(ＡＡＩ_ＳＣＤ)メッセージを含むことを特徴とする請求項３０に記載の基地局。
【請求項３２】
前記メッセージは、前記ＭＳによって測定されたＤＬ経路損失と前記ＢＳによって測定されたＵＬ干渉及び雑音レベルとの和に関する情報を含むことを特徴とする請求項２５に記載の基地局。